(57)【特許請求の範囲】
【請求項１】
両端部が開放された円筒形の本体部と、前記本体部の一方の端部から径方向に外側へと延伸し、さらに、前記本体部の一部を覆うように延伸された持ち手部とから構成されるペットボトル用キャップオープナーであって、
前記本体部は、仕切り壁によって上下に、ペットボトルのキャップが嵌め込まれるキャップ嵌合部と、ペットボトルの口と係合されるペットボトル係合部とに分割され、前記キャップ嵌合部の内面にはローレットが形成され、前記ペットボトル係合部の内面にはペットボトルの口とねじ係合するねじが形成されており、
前記仕切り壁の前記ペットボトル係合部にはパッキンが設けられ、前記持ち手部は、前記本体部の前記キャップ嵌合部側の端部から延伸し、前記本体部との間に指の入るスペースが形成されており、
前記キャップ嵌合部の内面は、前記仕切り壁から前記本体部の端部に向かって径が大きくなるテーパー形状となっていることを特徴とするペットボトル用キャップオープナー。
【請求項２】
前記仕切り壁の中央に貫通孔を設け、前記貫通孔に前記パッキンの中央に設けられた突出部が挿入され、前記突出部は前記貫通孔に上下動可能に係合されて、前記突出部の先端が前記キャップ嵌合部に突出可能であることを特徴とする請求項１に記載のペットボトル用キャップオープナー。
【請求項３】
前記持ち手部は、本体部の端部から径方向に外側へと延伸している部分の表面に、前記キャップ嵌合部と繋がる窪みが設けられていることを特徴とする請求項１に記載のペットボトル用キャップオープナー。
【請求項４】
前記パッキンには、前記ペットボトルの口の内面と接する円筒形の立ち上がり部が設けられていることを特徴とする請求項１〜３のいずれか１項に記載のペットボトル用キャップオープナー。
【発明の詳細な説明】
【技術分野】
【０００１】
本発明は、ペットボトルのキャップを開ける際に使用するペットボトル用キャップオープナーに関する。
【背景技術】
【０００２】
ペットボトルのキャップを初めに開ける際には、ペットボトルが密閉されているために、強く力を加えなければ開けることができないので、力の弱い老人や子供では簡単に開けることができない。また、一度開けたキャップを閉める際にしっかりと閉めようとして必要以上に力を入れてキャップを閉めると、次にキャップを開ける時にさらに開けにくくなる場合がある。このような問題を解消するために、ペットボトル用キャップオープナー（特許文献１，２参照）が用いられている。
【先行技術文献】
【特許文献】
【０００３】
【特許文献１】特開２００４−２０３４７８号公報
【特許文献２】特開２００１−１７１７０２号公報
【発明の概要】
【発明が解決しようとする課題】
【０００４】
従来のペットボトル用キャップオープナーの中には、一度キャップを開けて次にキャップを閉める際には、ペットボトル用キャップオープナーからキャップを取り外してペットボトルを閉めるものがある。このようなペットボトル用キャップオープナーでは、次にペットボトルのキャップを開ける際には再びペットボトル用キャップオープナーを用いる必要があり、さらに、その都度ペットボトル用キャップオープナーからキャップを取り外して再利用しなければならないという問題があった。
【０００５】
また、最近の２Ｌ等の大きいペットボトルは重くて持ちにくいために、ペットボトルの胴部分に窪み等を設けて持ちやすくしたものもあるが、冷蔵庫に入れているとペットボトルの胴部分が持ちにくいので、キャップの部分を持たざるを得ない場合が多く、力の弱い人あるいは手の小さい人、例えば、老人や子供では力が入らないくて大きいペットボトルを取り出すのは難しいという問題があった。
【０００６】
そこで、本発明は従来の問題を解決するために、ペットボトルのキャップを開けた後はキャップの代わりとして用いることができ、さらに、ペットボトルの持ち手として使用することができるペットボトル用キャップオープナーを提供することを目的とする。
【課題を解決するための手段】
【０００７】
本発明のペットボトル用キャップオープナーは、両端部が開放された円筒形の本体部と、前記本体部の一方の端部から径方向に外側へと延伸し、さらに、前記本体部の一部を覆うように延伸された持ち手部とから構成されるペットボトル用キャップオープナーであって、前記本体部は、仕切り壁によって上下に、ペットボトルのキャップが嵌め込まれるキャップ嵌合部と、ペットボトルの口と係合されるペットボトル係合部とに分割され、前記キャップ嵌合部の内面にはローレットが形成され、前記ペットボトル係合部の内面にはペットボトルの口とねじ係合するねじが形成されており、前記仕切り壁の前記ペットボトル係合部にはパッキンが設けられ、前記持ち手部は、前記本体部の前記キャップ嵌合部側の端部から延伸し、前記本体部との間に指の入るスペースが形成されていることを特徴とする。
【０００８】
前記仕切り壁の中央に貫通孔を設け、前記貫通孔に前記パッキンの中央に設けられた突出部が挿入され、前記突出部は前記貫通孔に上下動可能に係合されて、前記突出部の先端が前記キャップ嵌合部に突出可能である。
【０００９】
あるいは、前記持ち手部は、本体部の端部から径方向に外側へと延伸している部分の表面に、前記キャップ嵌合部と繋がる窪みが設けられている。
【００１０】
前記キャップ嵌合部の内面は、前記仕切り壁から前記本体部の端部に向かって径が大きくなるテーパー形状とする。
【００１１】
前記パッキンには、前記ペットボトルの口の内面と接する円筒形の立ち上がり部が設けられている。
【発明の効果】
【００１２】
本発明のペットボトル用キャップオープナーは、両端部が開放された円筒形の本体部と、前記本体部の一方の端部から径方向に外側へと延伸し、さらに、前記本体部の一部を覆うように延伸された持ち手部とから構成されるペットボトル用キャップオープナーであって、前記本体部は、仕切り壁によって上下に、ペットボトルのキャップが嵌め込まれるキャップ嵌合部と、ペットボトルの口と係合されるペットボトル係合部とに分割され、前記キャップ嵌合部の内面にはローレットが形成され、前記ペットボトル係合部の内面にはペットボトルの口とねじ係合するねじが形成されており、前記仕切り壁の前記ペットボトル係合部にはパッキンが設けられ、前記持ち手部は、前記本体部の前記キャップ嵌合部側の端部から延伸し、前記本体部との間に指の入るスペースが形成されていることにより、誰もが簡単にペットボトルのキャップを開けることができ、さらに、繰り返しペットボトルを開け閉めする際にも常にペットボトル用キャップオープナーを用いるのでいつでも簡単にペットボトルの開閉ができ、また、ペットボトルを持つ際に持ち手部に指を引っ掛けることで簡単にペットボトルを持つことができる。
【００１３】
前記仕切り壁の中央に貫通孔を設け、前記貫通孔に前記パッキンの中央に設けられた突出部が挿入され、前記突出部は前記貫通孔に上下動可能に係合されて、前記突出部の先端が前記キャップ嵌合部に突出可能であることにより、前記ペットボトル係合部をペットボトルの口に係合すると、前記突出部によって前記キャップ嵌合部に嵌っているペットボトルのキャップが押し出されるので、前記キャップ嵌合部に強固に嵌ったキャップも簡単に取り外すことができる。
【００１４】
あるいは、前記持ち手部は、本体部の端部から径方向に外側へと延伸している部分の表面に、前記キャップ嵌合部と繋がる窪みが設けられていることで、前記キャップ嵌合部に嵌ったペットボトルのキャップを簡単に取り出すことも可能となる。
【００１５】
前記キャップ嵌合部の内面は、前記仕切り壁から前記本体部の端部に向かって径が大きくなるテーパー形状とすることにより、異なる種類のペットボトルのキャップを簡単に開けることが可能となる。
【００１６】
前記パッキンには、前記ペットボトルの口の内面と接する円筒形の立ち上がり部を設けることで、ペットボトルの密閉性を高めることができる。
【図面の簡単な説明】
【００１７】
【図１】本発明の第1の実施形態のペットボトル用キャップオープナーの斜視図である。
【図２】第1の実施形態のペットボトル用キャップオープナーの断面図である。
【図３】第1の実施形態のペットボトル用キャップオープナーの使用方法を示す断面図である。
【図４】第1の実施形態のペットボトル用キャップオープナーの使用方法を示す断面図であり、図３の続きである。
【図５】第２の実施形態のペットボトル用キャップオープナーの断面図である。
【図６】第２の実施形態のペットボトル用キャップオープナーの使用手順を示す断面図である。
【図７】第２の実施形態のペットボトル用キャップオープナーの使用手順を示す断面図であり、図６の続きである。
【図８】第３の実施形態のペットボトル用キャップオープナーの斜視図である。
【図９】第３の実施形態のペットボトル用キャップオープナーの断面図である。
【図１０】第３の実施形態のペットボトル用キャップオープナーの使用方法を示す断面図である。
【図１１】異なる平面形状の持ち手部を用いた場合のペットボトル用キャップオープナーの平面図である。
【発明を実施するための形態】
【００１８】
本発明を、図を用いて以下に詳細に説明する。図１が本発明の第1の実施形態のペットボトル用キャップオープナー１の斜視図であり、図２が断面図である。本発明のペットボトル用キャップオープナー１は、図１、２に示すように、両端部が開放された円筒形の本体部２と、前記本体部２の一方の端部から径方向に外側へと延伸し、さらに、前記本体部２の一部を覆うように延伸された持ち手部３とから構成される。
【００１９】
前記本体部２は、図２に示すように、仕切り壁４によって上下に、ペットボトルのキャップが嵌め込まれるキャップ嵌合部５と、ペットボトルの口と係合されるペットボトル係合部６とに分割されている。前記持ち手部３は、前記本体部２の前記キャップ嵌合部５側の端部から延伸されており、さらに、前記本体部２の略半分を所定の間隔を有して覆うように形成されている。これにより、前記本体部２と前記持ち手部３の間には指先が入るぐらいのスペースが生じている。
【００２０】
前記キャップ嵌合部５の内面は端部に向かって径が大きくなるようにテーパー形状となっており、さらに、ローレット７が縦方向に形成されている。前記ローレット７は、ペットボトルのキャップの外面に形成されたローレットと係合することで、ペットボトル用キャップオープナー１によってペットボトルのキャップを開けることができる。前記ローレット７は汚れが付着した際に洗いやすくするために、角を曲線形状としておくことが好ましい。
【００２１】
また、前記キャップ嵌合部５の内面をテーパー形状とすることで、大きさの異なるペットボトルのキャップでも、前記キャップ嵌合部５に挿入された時に、いずれかの位置で前記キャップ嵌合部５のローレット７とペットボトルのキャップのローレットが係合する。これにより、異なる大きさのキャップでも簡単に開けることができる。
【００２２】
前記ペットボトル係合部６の内面にはペットボトルの口とねじ係合するねじ９が設けられており、さらに、前記仕切り壁４の面にはパッキン８が設けられている。これにより、ペットボトル用キャップオープナー１を用いてペットボトルのキャップを開けた後、ペットボトルのキャップの代わりに前記ペットボトル係合部６がペットボトルの口とねじ係合してペットボトルを閉めることができる。また、ペットボトルを閉めた時の密閉性を高めるために前記パッキン８を設けている。
【００２３】
このように、本発明のペットボトル用キャップオープナー１は、ペットボトルのキャップを開けるだけでなく、キャップの代用品として使用することができるので、次に、ペットボトルを開ける時にも力を入れずに開けることができる。
【００２４】
前記持ち手部３は、ペットボトルのキャップを開ける時に使用者が手で掴んで力を入れてペットボトル用キャップオープナー１を回転させる部分なので、掴みやすく力の入れやすい大きさとする。さらに、前記持ち手部３は、ペットボトルのキャップの代わりとして使用されているときには、前記本体部２と前記持ち手部３の間に生じているスペースに指先を入れてペットボトルを持ち運びするために使用されるので、前記スペースには少なくとも指先が入る大きさが必要である。
【００２５】
本実施形態のペットボトル用キャップオープナー１は、パッキン８以外は一体形成されており、材質としては、ペットボトル用キャップオープナー１が掴みやすく、力が入れやすいようにエラストマー等の柔らかく所定の強度を有する材質を用いることが好ましい。
【００２６】
次に、本実施形態のペットボトル用キャップオープナー１の使用方法について説明する。ペットボトル１０のキャップ１１を外す場合に、まず初めに、図３（ａ）に示すように、ペットボトル１０のキャップ１１に、ペットボトル用キャップオープナー１のキャップ嵌合部５を嵌める。前記キャップ１１と前記キャップ嵌合部５が嵌合したら、持ち手部３を掴んで前記ペットボトル用キャップオープナー１を回転させて、図３（ｂ）のように、前記キャップ１１を前記ペットボトル１０から取り外す。この時、前記キャップ嵌合部５のローレット７をキャップ１１の表面のローレットが係合することで、前記ペットボトル用キャップオープナー１の回転によりキャップ１１が回転される
【００２７】
前記ペットボトル１０から前記キャップ１１が外れたら、図４（ａ）に示すように、前記キャップを前記ペットボトル用キャップオープナー１から取り外す。次に、ペットボトル１０を締める際には、前記ペットボトル用キャップオープナー１を、キャップ１１を外した時とは上下を逆さまにした状態とし、図４（ｂ）に示すように、前記ペットボトル係合部６をペットボトル１０の口にねじ係合させて、持ち手部３を掴んで前記ペットボトル用キャップオープナー１を回転させてペットボトル１０を閉める。
【００２８】
このようにして、前記ペットボトル用キャップオープナー１を用いてペットボトル１０を閉めていると、前記ペットボトル１０を、例えば、冷蔵庫等から取り出す時には、図４（ｃ）に示すように、前記本体部２と前記持ち手部３の間に生じているスペースに下から指先を入れて引っ掛けるようにして前記ペットボトル１０を取り出すことができる。
【００２９】
この時、ペットボトル１０を掴む必要が無いので、力の弱い老人、手の小さな子供等でも大きなペットボトルを簡単に持つことができ、また、ペットボトル１０を開ける時には、前記ペットボトル用キャップオープナー１を用いることで簡単に開けることができる。
【００３０】
このように、本発明のペットボトル用キャップオープナー１は、誰でも、そして何度でも簡単にペットボトルを開けることができ、また、持ち運ぶ際に、あるいは取り出す際にも力を入れることなく誰もが簡単に持ち運び、あるいは取り出すことができる。
【００３１】
次に、第２の実施形態のペットボトル用キャップオープナー１’について図を用いて説明する。図５が第２の実施形態のペットボトル用キャップオープナー１’の断面図である。第２の実施形態のペットボトル用キャップオープナー１’は、図５に示すように、両端部が開放された円筒形の本体部２’と、前記本体部’２の一方の端部から径方向に外側へと延伸し、前記本体部２’と所定の間隔での前記本体部２’の略半分を覆うように延伸された持ち手部３とから構成される。
【００３２】
前記本体部２’は、図５に示すように、中央に貫通孔１２を有する仕切り壁４’によって上下に、キャップ嵌合部５と、ペットボトルの口と係合されるペットボトル係合部６とに分割されている。前記キャップ嵌合部５の内面は端部に向かって径が大きくなるテーパー形状となっており、さらに、ローレット７が縦方向に形成されている。
【００３３】
前記ペットボトル係合部６の内面にはペットボトルの口とねじ係合するねじ９が設けられており、さらに、前記仕切り壁４’の前記ペットボトル係合部６側にはパッキン８’が設けられている。本実施形態の前記パッキン８’は、円形のパッキン本体１３と、前記パッキン本体１３から突出し、前記仕切り壁４’に設けられた貫通孔１２と上下動可能に係合する突出部１４と、前記パッキン本体１３の前記突出部１４とは反対側の面に設けられた円筒形の立ち上がり部１５から構成される。
【００３４】
前記突出部１４はの先端は拡張されて前記貫通孔１２よりも大きくなっており、図５に示すように、前記パッキン８’がペットボトル用キャップオープナー１’から脱落しないようになっている。前記立ち上がり部１５は、ペットボトルの口の中に嵌め込まれる大きさとし、さらに先端部分の外周に膨らみを設けており、ペットボトル用キャップオープナー１’を用いてペットボトルを閉めた時に、ペットボトルのインナーリングの役割を果たし、ペットボトルの密閉性を高める役割を果たす。
【００３５】
本実施形態のペットボトル用キャップオープナー１’は、上述のような構造のパッキン８’を用いることで、前記キャップ嵌合部５に嵌合されたペットボトルのキャップを簡単に取り外すことができる。その方法について図を用いて説明を行う。
【００３６】
ペットボトル１０のキャップ１１を外す場合に、まず初めに、図６（ａ）に示すように、キャップ嵌合部５が下側となるように前記ペットボトル用キャップオープナー１’を手に持つ。この時、前記パッキン８’は下方へと移動して、前記パッキン本体１３が前記仕切り壁４’と接触した状態となる。
【００３７】
次に、ペットボトル１０のキャップ１１にペットボトル用キャップオープナー１’のキャップ嵌合部５を嵌める。この時、図６（ｂ）に示すように、前記突出部１４の先端が前記キャップ１１に押されて前記パッキン８’は上方へと移動し、前記パッキン本体１３は前記仕切り壁４’から離れた状態となる。前記キャップ１１と前記キャップ嵌合部５が嵌合したら、前記ペットボトル用キャップオープナー１を回転させて、図６（ｃ）のように、前記キャップ１１を前記ペットボトル１０から取り外す。
【００３８】
前記ペットボトル１０から前記キャップ１１が外れたら、前記キャップ１１と前記キャップ嵌合部５が嵌合した状態で置いておき、次に、ペットボトル１０を締める時にはそのままの状態で、前記ペットボトル用キャップオープナー１’を、キャップ１１を外した時とは上下を逆さまにした状態とし、図７（ａ）に示すように、前記ペットボトル係合部６をペットボトル１０の口にねじ係合させて、前記ペットボトル用キャップオープナー１’を回転させてペットボトル１０を前記ペットボトル用キャップオープナー１’で閉める。
【００３９】
前記ペットボトル用キャップオープナー１’を回転させてペットボトル１０の口とねじ係合させていくと、前記パッキン８’のパッキン本体１３はペットボトル１０の口の上端に押されて上方へと移動し、前記パッキン８’の突出部１４が前記キャップ嵌合部５に嵌合されていたキャップ１１を下から上方へと押すこととなる。
【００４０】
これにより、前記ペットボトル用キャップオープナー１’と前記ペットボトル１０のねじ係合が進むにつれて、前記キャップ嵌合部５に嵌合されていたキャップ１１は嵌合が解除され、図７（ｂ）に示すように、前記キャップ１１を簡単に取り外すことができる状態となる。
【００４１】
このように、本実施形態ではパッキン８’を用いることで、キャップ嵌合部５にキャップ１１が強固に嵌合されて取りにくい場合でも、ペットボトル用キャップオープナー１’でペットボトル１０を閉める動作によって、簡単にキャップ１１をキャップ嵌合部５から取り外すことができる。
【００４２】
また、図７（ｂ）に示すように、ペットボトル用キャップオープナー１’でペットボトル１０を閉めている場合、パッキン８’の立ち上がり部１５がペットボトル１０の口の中に挿入されており、前記立ち上がり部１５がインナーリングの役割を果たすのでペットボトル１０の密閉性がより高められる。特に、炭酸飲料のように密閉性を求められるペットボトルには効果的である。
【００４３】
次に、第３の実施形態のペットボトル用キャップオープナー１’’について図を用いて説明する。図８が第３の実施形態のペットボトル用キャップオープナー１’’の斜視図であり、図９が断面図である。
【００４４】
本実施形態のペットボトル用キャップオープナー１’’は、第１の実施形態のペットボトル用キャップオープナー１の持ち手部３に窪みを設けたものであり、その他の構造はほぼ同じであるので、同じ構造の部分については詳細な説明を省略する。
【００４５】
第３の実施形態のペットボトル用キャップオープナー１’’は、図８，９に示すように、両端部が開放された円筒形の本体部２と、前記本体部２の一方の端部から径方向に外側へと延伸し、前記本体部２と所定の間隔での前記本体部２の略半分を覆うように延伸された持ち手部３’とから構成されている。
【００４６】
前記本体部２は仕切り壁４によってキャップ嵌合部５とペットボトル係合部６とに分割されており、前記キャップ嵌合部５の内面にはローレット７が縦方向に形成されており、前記ペットボトル係合部６の内面にはねじ９が設けられており、さらに、前記仕切り壁４の面にはパッキン８が設けられている。
【００４７】
前記持ち手部３’は、本体部２の端部から径方向に外側へと延伸している部分の表面に、前記キャップ嵌合部５と繋がる窪み１６が４か所設けられている。前記窪み１６は指先が入る程度の大きさ及び形状の断面を有しており、前記キャップ嵌合部５に嵌め込まれたキャップ１１を取り出す時に使用する。
【００４８】
本実施形態のペットボトル用キャップオープナー１’’の使用方法について説明する。ペットボトル１０のキャップ１１を開ける方法、およびペットボトル用キャップオープナー１’’を用いてペットボトル１０を閉める方法は第１の実施形態と同じ方法である。
【００４９】
図３に示されているのと同じ方法で、ペットボトル１０のキャップ１１をペットボトル用キャップオープナー１’’を用いて開けると、キャップ１１がキャップ嵌合部５に嵌合されて、図１０（ａ）に示すような状態となる。そこで、図１０（ｂ）に示すように、前記窪み１６に指先を入れて、前記キャップ嵌合部５に嵌合されたキャップ１１の側面を指で掴んで、前記キャップ１１を前記キャップ嵌合部５から取り出す。この時、前記窪み１６は４か所に設けられているので、指を４本使うことができる。
【００５０】
このようにして、前記窪み１６を利用すると、前記キャップ嵌合部５に嵌合されたキャップ１１を掴む面積が増えるので、窪みが無い場合よりも簡単にキャップ１１を取り出すことが可能となる。
【００５１】
ここまで、持ち手部３，３’の平面形状は円形の形態を用いて説明してきたが、図１１に示すように、持ち手部３の平面形状を小判型、楕円形とすることも可能であり、ちぎりやすい形状であれば、その他にも矩形やあるいは側面に凹凸を設けた形状とすることも可能である。
【符号の説明】
【００５２】
１，１’，１’’  ペットボトル用キャップオープナー
２，２’  本体部
３，３’  持ち手部
４，４’  仕切り壁
５        キャップ嵌合部
６        ペットボトル係合部
７        ローレット
８，８’  パッキン
９        ねじ
１０      ペットボトル
１１      キャップ
１２      貫通孔
１３      パッキン本体
１４      突出部
１５      立ち上がり部
１６      窪み
【図１】
0005411642.tif 000002
【図２】
0005411642.tif 000003
【図３】
0005411642.tif 000004
【図４】
0005411642.tif 000005
【図５】
0005411642.tif 000006
【図６】
0005411642.tif 000007
【図７】
0005411642.tif 000008
【図８】
0005411642.tif 000009
【図９】
0005411642.tif 000010
【図１０】
0005411642.tif 000011
【図１１】
0005411642.tif 000012